(57)【要約】【課題】液晶表示装置において、液晶の表示が不安定な状態が外部から見えないようにする。【解決手段】２枚のガラス基板１１、１２の複数の透明電極の外側にそれぞれ２個の透明電極１３ａ、１３ｂと透明電極１６ａ、１６ｂを形成する。透明電極１３ａ、１３ｂに隣接する透明電極１２と同じ駆動電圧を印加し、透明電極１６ａ、１６ｂに隣接する透明電極１５と同じ駆動電圧を印加する。これにより、表示領域の外側の液晶の表示状態を確定させることができる。【選択図】図２
2007271819.tif 000002
【特許請求の範囲】
【請求項１】
表示用の複数の第１の電極が形成された第１の基板と、表示用の複数の第２の電極が形成された第２の基板とを対向配置して液晶材料を封入した液晶表示装置において、
前記複数の第１の電極と前記複数の第２の電極とにより形成される表示領域の外側に形成した第３及び第４の電極を有し、
前記第３及び第４の電極に所定の駆動電圧を印加する液晶表示装置。
【請求項２】
前記第３及び第４の電極は、前記複数の第１の電極の外側の隣接する位置と前記複数の第２の電極の外側の隣接する位置に形成される請求項１記載の液晶表示装置。
【請求項３】
前記第３及び第４の電極は、前記複数の第１の電極の中の最も外側の電極と、前記複数の第２の電極の中の最も外側の電極とからなる請求項１記載の液晶表示装置。
【請求項４】
前記第３及び第４の電極は、前記複数の第１の電極の中の最も外側に位置し、他の電極に比べて電極の幅を広くして液晶の表示領域の外に広がる電極と、前記第２の電極の中の最も外側に位置し、他の電極に比べて電極の幅を広くして液晶の表示領域の外に広がる電極からなる請求項１記載の液晶表示装置。
【請求項５】
表示用の複数の第１の電極が形成された第１の基板と、表示用の複数の第２の電極が形成された第２の基板とを対向配置して液晶材料を封入した液晶表示装置の電極形成方法において、
液晶表示装置の表示領域の外側に電極を形成し、該電極に液晶を駆動するための駆動電圧を印加する液晶表示装置の電極形成方法
【請求項６】
前記表示領域の外側の前記電極は、前記複数の第１の電極の外側の隣接する位置と前記複数の第２の電極の外側の隣接する位置に形成する請求項５記載の液晶表示装置の電極形成方法。
【請求項７】
前記表示領域の外側の前記電極は、前記複数の第１の透明電極の中の最も外側の電極と、前記複数の第２の透明電極の中の最も外側の電極とからなる請求項５記載の液晶表示装置の電極形成方法。
【発明の詳細な説明】
【技術分野】
【０００１】
本発明は、液晶表示装置及びその電極形成方法に関する。
【背景技術】
【０００２】
特許文献１には、製造過程において２枚のパネルを貼り合わせる際の位置合わせマークを見易くするために、パネルの非表示領域に位置合わせマークを設けることが記載されている。
【０００３】
ところで、コレステリック液晶等のメモリ特性を有する液晶を用いたドットマトリックス液晶パネルにおいては、表示領域の電極に所定の電圧を印加することで液晶の状態を変化させて表示状態をコントロールすることができるが、電圧が印加されていない表示領域外の液晶は、製造時の状態または加圧されて変化した状態となっている。この状態は不安定な状態であり、液晶パネルに組み立てた後でも加圧されると表示状態が変化してしまう。
【０００４】
図６は、従来の液晶パネルの構造を示す図である。上側のガラス基板３１の裏面に透明電極３２を形成し、下側のガラス基板３３の表面に透明電極３４を形成し、所定の位置にシール３５を塗布し、ガラス基板３１，３３を重ね合わせた状態でシール３５の内側に液晶材料３９を注入して液晶パネルを形成する。
【０００５】
図７は、図６に示すガラス基板３１，３３の間に液晶材料を注入した液晶パネル３０の正面図である。
複数の透明電極３２と３４の交差する、図７に破線で示す領域の内側が表示領域３６であり、その外側の液晶が存在し、透明電極が交差しない領域が表示不安定領域３７である。この表示不安定領域３７は、液晶のメモリ特性により製造時の状態や、加圧されることにより表示状態が変化する。
【０００６】
そのため従来は、透明電極３２と透明電極３４が交差する表示領域の外側に、図８に示すような黒いマスク３８を印刷等により形成し、表示不安定領域３７の液晶が外部から見えないようにしていた。
【０００７】
しかしながら、上記の遮蔽用のマスク３８は印刷等によりガラス基板に形成しているので、図９（ａ）に示す印刷位置から、図９（ｂ）に示すようにマスク３８の印刷位置がずれると、表示不安定領域３７が外部から見えてしまうという問題点があった。
【０００８】
上記の問題を解決するために、図１０に示すようにマスク３８の開口部の大きさを表示領域３６の大きさより小さく設計し、マスク３８の印刷位置がずれた場合でも、表示不安定領域３７が外部から見えないようにしていた。
【０００９】
しかしながら、マスクの開口部の大きさを小さくすると、液晶パネルの表示領域が狭くなるという問題点があった。
【特許文献１】特開２００２−２９６５６０号公報
【発明の開示】
【発明が解決しようとする課題】
【００１０】
本発明の課題は、液晶表示装置において、液晶の表示の不安定な領域が外部から見えないようにすることである。
【課題を解決するための手段】
【００１１】
本発明の液晶表示装置は、表示用の複数の第１の電極が形成された第１の基板と、表示用の複数の第２の電極が形成された第２の基板とを対向配置して液晶材料を封入した液晶表示装置において、前記複数の第１の電極と前記複数の第２の電極とにより形成される表示領域の外側に形成した第３及び第４の電極を有し、前記第３及び第４の電極に所定の駆動電圧を印加する。
【００１２】
この発明によれば、第３及び第４の電極に所定の駆動電圧を印加することで、表示領域の外側の液晶の状態を確定させることができるので、表示領域外の液晶の表示状態が不定となり、液晶表示装置の表示品質が低下するのを防止できる。
【００１３】
本発明の液晶表示装置において、前記第３及び第４の電極は、前記複数の第１の電極の外側の隣接する位置と前記複数の第２の電極の外側の隣接する位置に形成する。
このように構成することで表示領域の外側にある液晶の表示状態を確定させることができるので、例えば、表示領域外の液晶が黒く表示されて表示品質が劣化するのを防止できる。
【００１４】
本発明の液晶表示装置において、前記第３及び第４の電極は、前記複数の第１の電極の中の最も外側の電極と前記複数の第２の電極の中の最も外側の電極とからなる。
このように構成することで、表示領域外の液晶を駆動するための第３及び第４の電極を、表示領域の液晶を駆動する第１及び第２の電極と兼用することができるので、電極の形成工程が簡素になる。
【００１５】
本発明の液晶表示装置において、前記第３及び第４の電極は、前記複数の第１の電極の中の最も外側に位置し、他の電極に比べて電極の幅を広くして液晶の表示領域の外に広がる電極と、前記第２の電極の中の最も外側に位置し、他の電極に比べて電極の幅を広くして液晶の表示領域の外に広がる電極からなる。
【００１６】
このように構成することで、第１及び第２の電極の中の最も外側の電極の幅を他の電極の幅より広くすることで、表示領域の外側の隣接する領域の液晶の表示状態を確定させることができる。これにより、例えば、表示領域に隣接する液晶が黒く表示されて表示品質が損なわれるのを防止できる。
【発明の効果】
【００１７】
本発明によれば、液晶表示装置の表示領域外の液晶の状態を確定し、表示状態の不定な液晶が外部から見えないようにできる。
【発明を実施するための最良の形態】
【００１８】
以下、本発明の実施の形態について図面を参照して説明する。図１は、本発明の第１の実施の形態の液晶パネル（液晶表示装置）の構造を示す図である。
図１において、液晶パネルの上側のガラス基板１１の裏面には、表示電極である複数の透明電極（第１の電極に対応する）１２と、２個の透明電極（第３の電極に対応する）１３ａ、１３ｂが形成されている。２個の透明電極１３ａ、１３ｂは、透明電極１２の中の最も外側の透明電極１２に隣接する位置に形成されている。
【００１９】
液晶パネルの下側のガラス基板１４の上面には、表示電極である複数の透明電極（第２の電極に対応する）１５と、２個の透明電極（第４の電極に対応する）１６ａ、１６ｂが形成されている。２個の透明電極１６ａ、１６ｂは、透明電極１５の中の最も外側の位置の透明電極１２に隣接している。また、透明電極１６ａ、１６ｂの主要部（端子を引き出すための部分以外）は液晶が注入されている領域内に形成されている。上側のガラス基板１１の透明電極１３ａ、１３ｂの主要部も液晶が注入される領域内に形成される。
【００２０】
液晶パネルを組み立てる場合には、下側のガラス基板１４の所定の位置にシール１７を塗布した後、２枚のガラス基板１１，１４を接着してコレステリック液晶等のメモリ特性を有する液晶材料３９を注入する。
【００２１】
図２は、第１の実施の形態の液晶パネル１０の表示領域と表示不安定領域を示す図である。
図２において、上側のガラス基板１１の裏面の複数の透明電極１２の外側の２個の透明電極１３ａ、１３ｂには所定の駆動電圧が印加される。また、下側のガラス基板１４の複数の透明電極１５の外側の２個の透明電極１６ａ、１６ｂには所定の駆動電圧が印加される。
【００２２】
従って下側のガラス基板１４の左右（電極の延長方向に向かって左右方向）の透明電極１６ａ、１６ｂと、上側のガラス基板１１の複数の透明電極１２と左右の透明電極１３ａ、１３ｂとの間には、所定の駆動電圧が印加されるので、その部分の液晶の状態は透過または非透過の状態に確定する。また、上側のガラス基板１１の左右の透明電極１３ａ、１３ｂと、下側のガラス基板１４の上面の複数の透明電極１５と２個の透明電極１６ａ、１６ｂとの間にも、所定の駆動電圧が印加されるので、その部分の液晶の状態は透過または非透過のいずれかの状態に確定する。
【００２３】
図２に破線で示す表示領域１８は、上側のガラス基板１１の複数の透明電極１２と、下側のガラス基板１４の複数の透明電極１５が交差する領域であり、その領域の液晶は透明電極１２、１５の交差する点に印加される駆動電圧により透過または非透過の状態となる。その表示領域１８の外側の液晶の存在する領域は、従来の液晶パネルでは液晶の状態が不定な表示不安定領域となる。
【００２４】
この第１の実施の形態においては、図２の正面から見て水平方向に延びる透明電極１６ａ、１６ｂと、垂直方向に延びる複数の透明電極１２とその左右の透明電極１３ａ、１３ｂとが交差する領域（図２に縦線で示す領域２０）の液晶は、それらの透明電極１６ａ、１６ｂ、１２，１３ａ、１３ｂに駆動電圧が印加されことにより透過、非透過のいずれかの状態に確定する。また、図２の透明電極１２の左右の位置の透明電極１３ａ、１３ｂと、図２の水平方向に延びる透明電極１５及び透明電極１６ａ、１６ｂが交差する領域（図２に横線で示す領域２１）の液晶は、それらの透明電極に駆動電圧が印加されることにより透過、非透過のいずれかの状態に確定する。
【００２５】
従って、第１の実施の形態の液晶パネル１０においては、図２に破線で示す表示領域１８に隣接する領域２０と領域２１とからなる一点鎖線２０’で囲まれる領域の液晶は、表示状態が一義的に確定し、表示領域１８の外側の隣接する領域が表示不安定領域１９ではなくなる。すなわち、表示領域１８に隣接する、図２に一点鎖線２０’で示す領域の液晶は、駆動電圧により一義的に表示状態が確定する表示状態確定領域２０’となる。従って、表示状態が不定な表示不安定領域１９の液晶が外部から見えにくくなる。
【００２６】
図３（ａ）は、表示領域外を覆う黒のマスク３８が指定した位置に印刷された場合を示し、図３（ｂ）は、マスク３８の印刷位置がずれた場合を示している。
マスク３８の開口部の大きさを表示領域１８の大きさとほぼ同じ大きさにした場合には、従来の液晶パネルであれば、マスク３８の印刷位置がずれたときに、表示領域１８の外側の表示不安定領域の液晶が外部から見えてしまう。
【００２７】
この第１の実施の形態では、表示領域１８と隣接する位置に透明電極１３ａ、１３ｂと、透明電極１６ａ、１６ｂを設け、それらの透明電極に所定の駆動電圧を印加することで、表示領域１８に隣接する領域の液晶の表示状態を表示領域１８の外周部の液晶と同じ表示状態にすることができる。すなわち、マスク３８の印刷位置がずれた場合でも、外部から表示状態が不定な液晶が見えないので表示品質が低下するのを防止できる。
【００２８】
次に、図４は、本発明の第２の実施の形態の液晶パネルの構造を示す図である。
この第２の実施の形態は、表示電極である複数の透明電極２２の中の最も外側の透明電極の幅を他の透明電極２２の幅より広くし、その透明電極により表示領域の外側の液晶の状態を確定させるものである。
【００２９】
図４に示すように、液晶パネルの上側のガラス基板２１の裏面には、表示電極である複数の透明電極２２が形成されており、それら複数の透明電極２２の中の左右両端の透明電極２２ａ、２２ｂの電極の幅を他の透明電極２２の幅より広く設計してある。これは、上側のガラス基板２１の透明電極２２と下側のガラス基板２３の透明電極２４が交差する表示領域の外側の液晶に所定の駆動電圧を印加するためである。
【００３０】
下側のガラス基板２３の上面には、表示電極である複数の透明電極２４が形成されており、それらの複数の透明電極２４の中の両端の透明電極２４ａ、２４ｂの電極の幅を他の透明電極２４の幅より広く設計してある。その理由は、透明電極２２ａ、２２ｂと同じである。下側のガラス基板２３の所定の位置にはシール１７が塗布され、シール１７で囲まれる領域内にコレステリック液晶等のメモリ特性を有する液晶が注入される。
【００３１】
図５は、第２の実施の形態の液晶パネル２０の表示領域と表示不安定領域を示す図である。
図５において、上側のガラス基板１１の裏面の複数の透明電極２２の中の両端の２個の透明電極２２ａ、２２ｂは表示電極も兼ねているので、表示しようとする画素に応じた駆動電圧が印加される。また、下側のガラス基板１４の複数の透明電極２４の両端の２個の透明電極２４ａ、２４ｂも表示電極を兼ねているので表示しようとする画素に応じた駆動電圧が印加される。
【００３２】
従って、下側のガラス基板１４の透明電極２４ａ、２４ｂと、上側のガラス基板１１の複数の透明電極２２（両端の透明電極２２ａ、２２ｂを含む）との間には、所定の駆動電圧が印加されるので、それらの電極が交差する領域にある液晶の状態は、印加される駆動電圧により透過または非透過のいずれかの状態に確定する。また、上側のガラス基板１１の両端部の透明電極２２ａ、２２ｂと、下側のガラス基板１４の複数の透明電極２４（両端の透明電極２４ａ、２４ｂを含む）との間にも所定の駆動電圧が印加されるので、それらの電極が交差する領域にある液晶の状態は、印加される駆動電圧により透過または非透過のいずれかの状態に確定する。
【００３３】
図５に破線で示す領域の内側は、液晶パネル２０の表示領域１８である。その表示領域１８の外側には、幅の広い電極からなる透明電極２２ａ、２２ｂ及び透明電極２４ａ、２４ｂが設けられている。そして、それらの透明電極２２ａ、２２ｂ、２４ａ、２４ｂには、液晶を駆動するための駆動電圧が印加されるので、表示領域１８に隣接する領域（図５に一点鎖線で示す表示状態確定領域２３）の液晶は透過または非透過の状態となる。
【００３４】
すなわち、液晶の状態が不定な表示不安定領域１９の内周部の位置と、表示領域１８の外周部の位置との間に液晶の表示状態が確定する表示状態確定領域２３を設けることができる。従って、表示領域の外側の領域を覆うマスク３８の印刷位置がずれたとしても、ユーザから表示不安定領域１９が見えないようにできる。
【００３５】
この第２の実施の形態によれば、複数の透明電極２２，２４の左右（電極の延長方向に向かって）両端の透明電極２２ａ、２２ｂ、２４ａ、２４ｂにより、表示領域１８の外側の表示状態確定領域２３の液晶を、所定の駆動電圧で駆動して透過または非透過の状態に確定することができる。これにより、表示領域１８と表示不安定領域１９との間に表示状態確定領域２３を確保できるので、表示不安定領域１９の液晶が外部から見えて表示品質が低下するのを防止できる。さらに、この第２の実施の形態は、表示用の透明電極２２ａ、２２ｂ、２４ａ、２４ｂを、表示領域１８の液晶を駆動するための表示用の透明電極と兼用しているので、表示領域１８の外側に別の透明電極を形成する必要が無いので透明電極の形成工程が増加しない。
【００３６】
本発明は、上述した実施の形態に限らず、例えば、以下のように構成しても良い。
（１）実施の形態はコレステリック液晶を用いた場合について説明したが、これに限らず、本発明はメモリ性を有する液晶であれば他の液晶材料にも適用できる。
（２）表示領域外の液晶を駆動するための電極は、実施の形態に示した形状のものに限らず、他の形状でも良い。
【００３７】
例えば、第１の実施の形態の透明電極１３ａは１本の透明電極に限らず、表示用の透明電極の線幅より細い複数本の透明電極を形成しても良い。また、表示領域外の液晶を駆動するための電極は、上下のガラス基板で必ずしも同一にする必要はなく、形状を異ならせても良い。
【図面の簡単な説明】
【００３８】
【図１】第１の実施の形態の液晶パネルの構造を示す図である。
【図２】第１の実施の形態の液晶パネルの表示領域と表示不安定領域を示す図である。
【図３】マスクの印刷位置が正常な場合と、印刷位置がずれた場合を示す図である。
【図４】第２の実施の形態の液晶パネルの構造を示す図である。
【図５】第２の実施の形態の液晶パネルの表示領域と表示不安定領域を示す図である。
【図６】従来の液晶パネルの構造を示す図である。
【図７】従来の液晶パネルの表示領域と表示不安定領域を示す図である。
【図８】液晶パネルの模式断面図である。
【図９】マスクの印刷位置が正常な場合と、印刷位置がずれた場合を示す図である。
【００３９】
マスクの大きさとマスクの印刷位置の関係を示す図である。
【図１０】マスクの大きさとマスクの印刷位置の関係を示す図である。
【符号の説明】
【００４０】
１０，２０      液晶パネル
１１      上側のガラス基板
１４      下側のガラス基板
１２，１５      透明電極
１３ａ、１３ｂ、１６ａ、１６ｂ      透明電極
２２ａ、２２ｂ、２４ａ、２４ｂ      透明電極
１８      表示領域
１９      表示不安定領域
２０’、２３      表示状態確定領域
【図１】
2007271819.tif 000003
【図２】
2007271819.tif 000004
【図３】
2007271819.tif 000005
【図４】
2007271819.tif 000006
【図５】
2007271819.tif 000007
【図６】
2007271819.tif 000008
【図７】
2007271819.tif 000009
【図８】
2007271819.tif 000010
【図９】
2007271819.tif 000011
【図１０】
2007271819.tif 000012